(57)【要約】      （修正有）【課題】インプラントによる疑似歯の植立や、齲蝕部の切削後にクラウンを被せる際に、歯科治療の施術を行う医師等が患者に治療直後及び長時間経過に伴う疑似歯の劣化（変色等）のイメージを明確に伝えることができる歯科治療用イメージガイドを提供する。【解決手段】少なくとも１つの歯を模した疑似歯プレート３と、疑似歯プレートを支持して操作するための把持部５と、を具備し、疑似歯プレートと、把持部の先端と、が束具７により着脱自在に接続されること、を特徴とする。【選択図】図１
0003207886.tif 000002
【実用新案登録請求の範囲】
【請求項１】
少なくとも１つの歯を模した疑似歯プレートと、
前記疑似歯プレートを支持して操作するための把持部と、
を具備し、
前記疑似歯プレートと、前記把持部の先端と、が着脱自在に接続されること、
を特徴とする、補綴前後のイメージを認識するための歯科治療用イメージガイド。
【請求項２】
前記疑似歯プレートと、前記把持部の先端と、が接続され、かつ、一体的に構成されること、
を特徴とする請求項１に記載の歯科治療用イメージガイド。
【請求項３】
前記疑似歯プレートが、白色セラミックス製義歯、経年劣化した白色レジン製義歯、又は、銀歯を模していること、
を特徴とする請求項１又は２に記載の歯科治療用イメージガイド。
【考案の詳細な説明】
【技術分野】
【０００１】
本発明は、義歯、インプラント又はクラウン等の補綴物を用いた歯科治療等で患者に治療後のイメージを確認させる歯科治療用イメージガイドに関する。
【背景技術】
【０００２】
義歯、インプラント又はクラウン等を補綴物を施す歯科治療では、患者自身の歯と、治療後の補綴物と、の色や素材に違和感等の差異が極力発生しないよう治療方法や補綴物の選定が慎重に行われている。
【０００３】
特に、補綴物は治療直後には違和感がなくとも、経年によって患者自身の歯とは異なる変色等が発生するケースが多く、当該問題から補綴物を用いる治療は経時変化を考慮する必要もあり、より複雑となっていた。
【０００４】
従来、補綴物を用いた治療前後の色を患者にイメージさせるシェードガイドが一部で用いられている（特許文献１参照）。当該シェードガイドは、一般的な象牙の色及び歯の形状を模して製作された模型であって、黄色味の度合及び明度等が異なる複数から成るカラーガイドである。医師等は当該カラーガイドを患者の歯に当接させて患者に治療前後のイメージを確認させていた。
【先行技術文献】
【特許文献】
【０００５】
【特許文献１】特開２０１６−０２９９５５号公報
【考案の概要】
【考案が解決しようとする課題】
【０００６】
しかしながら、上記のようなシェードガイドは、治療前後における歯の色合わせを行うものであって、経時的に変化する補綴物のイメージを患者に確認させることができない。また、上記シェードガイドは、クラウンを被せる治療に用いることができず、治療の対象歯の一部に被せる等の使用方法は有していない問題があった。
【０００７】
ここで、従来のシェードガイドの構造に着目すると、簡易的な色合わせを前提として単に表面の色に数パターンの違いを付与させたものであった。また、形状は中切歯等の前方に位置する歯を代表的に模したものであって、治療の対象歯に対して柔軟に被せることができないことから、未だ改善の余地があった。
【０００８】
そこで、考案は、上記問題に鑑みて、インプラントによる疑似歯の植立や、齲蝕部の切削後にクラウンを被せる際に、歯科治療の施術を行う医師等が患者に治療直後及び長時間経過に伴う疑似歯の劣化（変色等）のイメージを明確に伝えることができる歯科治療用イメージガイドを提供することを目的とする。
【課題を解決するための手段】
【０００９】
上記の課題を解決すべく、本考案は、
少なくとも１つの歯を模した疑似歯プレートと、
前記疑似歯プレートを支持して操作するための把持部と、
を具備し、
前記疑似歯プレートと、前記把持部の先端と、が着脱自在に接続されること、
を特徴とする、補綴前後のイメージを認識するための歯科治療用イメージガイドを提供する。
【００１０】
このような構成を有する本考案の歯科治療用イメージガイドでは、疑似歯プレートを把持部の先端に接続して患者の口腔内に挿入することができ、義歯、インプラント又はクラウン等の補綴物を施す対象の歯に対して所望の位置に当接させ、当該状態で医療用ミラー等を介して患者に、治療後における疑似歯の形状、色、素材（疑似歯プレートを構成する材料）等を明確に確認させることができる。
【００１１】
また、把持部と、疑似歯プレートと、が任意に着脱可能な構造を備えることで、治療後の洗浄やメンテンナス等が容易となり、更に一本の把持部のみで種々の形状や素材における疑似歯プレートを任意に選択して接続することができることから、治療を行う医師等の利便性を好適に向上させることが可能となる。
【００１２】
また、上記の本発明の歯科治療用イメージガイドにおいては、
前記疑似歯プレートと、前記把持部の先端と、が接続され、かつ、一体的に構成されることが好ましい。
【００１３】
このような構成を有する本考案の歯科治療用イメージガイドは、疑似歯プレートと、把持部と、が強固に接続され、治療時に把持部から疑似歯プレートが不意に脱落することを防止できる。即ち、疑似歯プレートと、把持部と、の接続方法は、着脱可能な構造及び一体的に接続して固定した構造のどちらを選択して構成されてもよく、使用状況に応じて当該双方の構造から適宜決定することが望ましい。
【００１４】
また、上記の本発明の歯科治療用イメージガイドにおいては、更に、
前記把持部が孔を具備することが望ましい。
【００１５】
このような構成を有する本考案の歯科治療用イメージガイドは、複数本の把持部の孔に一本の束具を通して複数本の歯科治療用イメージガイドを纏めたり、歯科治療用イメージガイドを壁等のフックに掛けて配置や収納することができる。
【図面の簡単な説明】
【００１６】
【図１】本実施形態の歯科治療用イメージガイド１の構造を示す模式図である。
【図２】患者の口腔内に本実施形態の歯科治療用イメージガイド１を挿入した状態を示す模式図である。
【考案を実施するための形態】
【００１７】
以下、本考案に係る歯科治療用イメージガイドの代表的な実施形態を、図１〜図２を参照しながら詳細に説明する。但し、本考案は図示されるものに限られるものではなく、各図面は本考案を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００１８】
１．歯科治療用イメージガイド１の概要
図１を用いて本実施形態における歯科治療用イメージガイド１の概要を説明する。図１は本実施形態の歯科治療用イメージガイド１の構造を示す模式図である。
【００１９】
本実施形態の歯科治療用イメージガイド１は、義歯やインプラントの植立や、齲蝕部の切削後にクラウンを被せる際、即ち、医師等が歯科治療における補綴の施術を行う際、患者に治療直後の補綴物の見え方や長時間経過後の補綴物の劣化（変色）の状態についてイメージを明確に伝えるためのものであり、本歯科治療用イメージガイド１を患者の口腔内に挿入し、疑似歯プレート３を治療の対象歯近傍に配置させて患者に視覚的な治療後のイメージを提供する医療器具である。
【００２０】
２．歯科治療用イメージガイド１の構造
＜部品構成＞
図１に示すとおり、本実施形態の歯科治療用イメージガイド１は、概ね歯（複数本でも可）の形状を模した疑似歯プレート３と、当該疑似歯プレート３を支持し、医師等が使用時に把持するための把持部５と、複数の本歯科治療用イメージガイド１を束ねる束具７と、を具備して構成されている。
【００２１】
＜疑似歯プレート３＞
疑似歯プレート３は、図１及び２においては、一本の歯全体（義歯若しくはインプラント等）を模しているが、歯の一部（クラウン形状等）又は複数の歯（義歯又はインプラント等）を模していてもよい。また、経年劣化しないセラミックス製義歯、白くはあるが経年劣化した義歯、又は、銀歯を模した疑似歯プレートでもよい。
【００２２】
この疑似歯プレート３は、例えばジルコニア、アルミナ、二ケイ酸リチウムガラス、歯科用プラスチック（レジン等）、ハイブリッドセラミック（レジンにセラミックの粉末を混ぜた混合材料）、金・銀パラジューム、ニッケルクロム合金、等の材料を用いて形成されている。より具体的な形状は、中切歯、側切歯、第一小臼歯、第二小臼歯、第一大臼歯、第二大臼歯、第三大臼歯、の内いずれかの形状に合わせて精巧に形成されることが好ましく、更に当該それぞれの歯の形状で種々のサイズに展開し、患者の歯のサイズに合わせて適応させることが望ましい。
【００２３】
また、疑似歯プレート３は、患者の口腔内で自然に馴染ませることを想定した着色及び経時変化を想定した疑似劣化を施して変色させ、患者に疑似歯又はクラウンの色味を確認させるために使用してもよい。
【００２４】
なお、当該疑似歯プレート３は、通常歯茎から露出される部分のみを形成し、歯根部（図示せず）のない形状である。上述のとおり、本実施形態の歯科治療用イメージガイド１は、患者の口腔内に挿入し、治療の対象歯近傍に配置させて患者に視覚的な治療後のイメージを提供するものであるから、疑似歯プレート３が歯根部を備えない形状である方が視覚的なイメージの伝達に効果的である。
【００２５】
＜把持部５＞
把持部５は、長尺の略板状又は略棒状で、例えば耐食性を有する金属（ステンレスや耐食性を有する軽金属）又は所定の強度を有する樹脂等を用いて形成されている。また、当該把持部５の先端側には疑似歯プレート３が所定の角度で接続されており、患者の口腔内で疑似歯プレート３を容易に配置できるよう先端部等の一部を湾曲や屈曲させた形状であってもよい。
【００２６】
なお、把持部５と、疑似歯プレート３と、の接続方法は、当該把持部５と、疑似歯プレート３と、が一体的となる様に固定されていてもよく、または把持部５と、疑似歯プレート３と、が任意に接続及び解除可能な構造であってもよい。
【００２７】
把持部５と、疑似歯プレート３と、が任意に接続及び解除可能な構造を備えていれば、治療後の洗浄やメンテンナス等が容易となり、更に一本の把持部５のみで種々の形状や材質における疑似歯プレート３を任意に選択して接続することができることから、治療を行う医師等の利便性を好適に向上させることが可能となる。
【００２８】
また、把持部５は手元側近傍に該把持部５を貫通した孔９を備えており、当該孔９は所定の直径を有し、自身に別途用意した束具７（例えばワイヤーや紐等）を通すことが可能である。例えば複数本の把持部５の孔９に一本の束具７を通して複数本の本実施形態の歯科治療用イメージガイド１を纏めたり、本歯科治療用イメージガイド１を壁等のフックに掛けて配置や収納することができる。
【００２９】
３．歯科治療用イメージガイド１の使用方法
次に、図２を用いて本実施形態における歯科治療用イメージガイド１の使用方法について説明する。図２は、患者の口腔内に本実施形態の歯科治療用イメージガイド１を挿入した状態を示す模式図である。
【００３０】
まず、治療を行う医師等は、事前の診察及び治療によって患者の歯の状態を把握してインプラント又はクラウン等の疑似歯を施す治療方法を策定し、当該治療方法を患者に説明して理解させる。次に、医師等は、インプラント又はクラウン等を施す対象の歯１１に対応する疑似歯プレート３を選択し、把持部５の先端に接続して固定する（疑似歯プレート３と、把持部５と、が一体に構成されたものであれば当該手順は省略される）。
【００３１】
続いて、医師等は把持部５を把持して本実施形態の歯科治療用イメージガイド１を操作し、疑似歯プレート３を患者の口腔内に挿入する。このとき、把持部５が上唇、下唇、又は舌等に極力接触しないよう操作して患者の口腔内に施術による怪我等を負わさないよう注意する（特に把持部５が略板状である場合は端部に角を有するため、特に注意する必要がある）。
【００３２】
次に、医師等は把持部５の挿入長や角度を調節しつつ疑似歯プレート３をインプラント又はクラウン等を施す対象の歯１１に当接して配置させる。なお、表面の視覚的印象を患者にイメージさせる場合は、対象の歯１１に対して外側から疑似歯プレート３を当接させ、歯の裏面の視覚的印象を患者にイメージさせる場合は、対象の歯１１に対して内側から疑似歯プレート３を当接させ、クラウン等の被せものを施す場合は、対象の歯１１に対して所定の位置に被せて配置させる。
【００３３】
続いて、医師等は上記状態で患者の口腔内と本実施形態の歯科治療用イメージガイド１との位置関係を維持しつつ医療用ミラー（図示せず）等を用いて患者に自身の口腔内を見せ、疑似歯プレート３により模した治療後のイメージを確認させる。なお、患者の希望により上記手順を繰り返して材料や色の異なる疑似歯プレート３を入れ替え、患者が希望する疑似歯のイメージを把握し、当該イメージに沿って具体的な治療に移行することになる。
【００３４】
以上、本考案の実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【産業上の利用可能性】
【００３５】
本実施形態の歯科治療用イメージガイドは、インプラントによる疑似歯の植立や、齲蝕部の切削後にクラウンを被せる際に、歯科治療の施術を行う医師等が患者に治療直後及び長時間経過に伴う疑似歯の劣化（変色等）のイメージを明確に伝えることができるものである。
【符号の説明】
【００３６】
１        歯科治療用イメージガイド
３        疑似歯プレート
５        把持部
７        束具
９        孔
１１      対象の歯
【図１】
0003207886.tif 000003
【図２】
0003207886.tif 000004
【手続補正書】
【提出日】平成28年10月11日(2016.10.11)
【手続補正１】
【補正対象書類名】明細書
【補正対象項目名】０００２
【補正方法】変更
【補正の内容】
【０００２】
義歯、インプラント又はクラウン等で補綴物を施す歯科治療では、患者自身の歯と、治療後の補綴物と、の色や素材に違和感等の差異が極力発生しないよう治療方法や補綴物の選定が慎重に行われている。